(57)【要約】【課題】突き付け施工した場合に、突き付け部が目地の幅方向の端縁に沿って延在するようになるタイルパネルを提供する。【解決手段】タイルパネル１０は、下地板１１に複数のタイル１２を接着剤１３を介して張り付けたものである。タイル１２同士は均一な目地間隔を介して整列配置されており、目地間隙には目地材１４が充填されている。下地板１１の前面のうち第１及び第２の辺に沿う部分にあっては、下地板１１の辺縁とタイル１２の辺縁とが合致している。第３及び第４の辺に沿う部分にあっては、タイル１２の辺縁は下地板１１の前面の辺縁から目地間隔と同距離だけ離隔しており、このタイル１２に目地材１６が接着されている。【選択図】図３
2009035933.tif 000002
【特許請求の範囲】
【請求項１】
方形の下地板の前面に１枚又は複数枚のタイルが目地間隔をあけて整列状態にて付着されてなるタイルパネルにおいて、
該下地板の隣接する第１及び第２の辺にあっては、タイルの辺縁が該下地板の前面の辺縁に合致しており、
該下地板の他の第３及び第４の辺にあっては、タイルの辺縁が該下地板の前面の辺縁から前記目地間隔分だけ離隔していることを特徴とするタイルパネル。
【請求項２】
請求項１において、前記第３及び第４の辺にあっては、下地板の前面に、下地板の辺縁から張り出した、弾力性を有する目地材が配置されており、
該目地材は該辺縁に臨むタイルの端面に付着されており、該辺縁に臨む下地板の前面には非付着となっていることを特徴とするタイルパネル。
【請求項３】
請求項１又は２において、前記下地板の第１及び第２の辺の木端面には雌実が設けられ、第３及び第４の辺の木端面には、該雌実に係合する形状の雄実が設けられていることを特徴とするタイルパネル。
【発明の詳細な説明】
【技術分野】
【０００１】
本発明は、タイルパネルに係り、詳しくは、方形の下地板の前面に１枚又は複数枚のタイルが目地間隔をあけて整列状態にて付着されてなるタイルパネルに関する。
【背景技術】
【０００２】
方形の下地板の前面に複数枚のタイルが目地間隔をあけて整列状態にて付着されてなるタイルパネルの従来の例として、特開平６−１０８６１４号に記載のタイルパネルを第４図に示す。このタイルパネル１は、下地板２の前面に接着剤３によって複数枚のタイル４が貼り付けられ、タイル４同士の間の目地部に樹脂目地５が充填されたものである。
【０００３】
このタイルパネル１の全周において、タイル４の辺縁は下地板２の辺縁から所定距離だけ離隔している。
【０００４】
この特開平６−１０８６１４のタイルパネルにあっては、複数枚のタイルパネルを突き付けて床や壁に施工すると、この突き付け部分においても目地間隙が形成される。この目地間隙に目地材を充填することにより、タイル仕上げされた床や壁が構築される。
【特許文献１】特開平６−１０８６１４
【発明の開示】
【発明が解決しようとする課題】
【０００５】
上記特開平６−１０８６１４のタイルパネルを突き付けた場合、突き付け面は上記目地間隙の中央に沿って延在することになる。このような場合、隣接するタイルパネル同士に不陸が生じた場合、目地間隙の中央部で目地材に厚み方向に剪断応力が生じることになり、目地の剥離や破断が生じるおそれがある。
【０００６】
本発明は、このような問題点を解決し、突き付け施工した場合に、突き付け部が目地の幅方向の端縁に沿って延在するようになるタイルパネルを提供することを目的とする。
【課題を解決するための手段】
【０００７】
請求項１のタイルパネルは、方形の下地板の前面に１枚又は複数枚のタイルが目地間隔をあけて整列状態にて付着されてなるタイルパネルにおいて、該下地板の隣接する第１及び第２の辺にあっては、タイルの辺縁が該下地板の前面の辺縁に合致しており、該下地板の他の第３及び第４の辺にあっては、タイルの辺縁が該下地板の前面の辺縁から前記目地間隔分だけ離隔していることを特徴とするものである。
【０００８】
請求項２のタイルパネルは、請求項１において、前記第３及び第４の辺にあっては、下地板の前面に、下地板の辺縁から張り出した、弾力性を有する目地材が配置されており、
該目地材は該辺縁に臨むタイルの端面に付着されており、該辺縁に臨む下地板の前面には非付着となっていることを特徴とするものである。
【０００９】
請求項３のタイルパネルは、請求項１又は２において、前記下地板の第１及び第２の辺の木端面には雌実が設けられ、第３及び第４の辺の木端面には、該雌実に係合する形状の雄実が設けられていることを特徴とするものである。
【発明の効果】
【００１０】
本発明のタイルパネルにあっては、下地板の第１及び第２の辺において、前面の辺縁とタイルの辺縁とが合致し、第３及び第４の辺において、タイルの辺縁が前面の辺縁から目地間隔分だけ離隔している。従って、このタイルパネル同士を突き付け、タイルパネルの第１又は第２の辺を隣接するタイルパネルの第３又は第４の辺と当接させた場合、この突き付け部には目地間隔と同幅の目地間隙が形成されることになる。そして、タイルパネル同士の突き付け部は、この目地間隙の幅方向の一端側に沿うことになる。このため、タイルパネル同士に不陸が生じたとしても、この目地間隙に充填された目地材の幅方向の中央部には剪断応力は生じないようになる。
【００１１】
請求項２のように、タイルパネルに予め目地材を設けておくと、タイルパネル同士を突き付けることにより、上記目地間隙に目地材が充填された仕上がりとすることができる。
【００１２】
また、この目地材を設けておくと、タイルパネル同士を突き付けるときの衝撃が緩和され、表面タイルの損傷が防止される。
【００１３】
なお、この目地材は、下地板に対しては非付着となっているため、幅方向に押し縮められるときには、下地板から拘束を受けることなく自由に圧縮変形する。
【００１４】
請求項３のタイルパネルによると、タイルパネル同士を突き付け施工すると、隣接したタイルパネルの雄実と雌実とが係合するので、タイルパネルの施工が容易となる。また、施工後に隣接するタイルパネル同士の間に不陸が発生することが防止される。
【発明を実施するための最良の形態】
【００１５】
以下、図面を参照して実施の形態について説明する。第１図は実施の形態に係るタイルパネルの端部の厚み方向の断面図であり、（ａ）図はタイルパネル同士の連結前の状態を示し、（ｂ）図はタイルパネル同士の連結状態を示している。第２図は実施の形態に係るタイルパネルの厚み方向の断面図である。
【００１６】
この実施の形態に係るタイルパネル１０は、下地板１１にタイル１２を接着剤１３を介して張り付けたものである。タイル１２同士は均一な目地間隔を介して整列配置されており、目地には目地材１４が充填されている。目地材１４は通常目地材でも、タイルパネル辺縁につける弾性目地材のどちらでも良い。
【００１７】
下地板１１は方形（正方形又は長方形）であり、隣接する第１及び第２の辺に沿う木端面にあっては、凹条よりなる雌実１１ｂが設けられている。残りの２辺に沿う木端面にあっては、凸条よりなる雄実１１ａが設けられている。雄実１１ａ及び雌実１１ｂは、厚み方向で且つ下地板１１ａの辺と直交方向の断面が略同一大きさの方形である。雄実１１ａ及び雌実１１ｂは、下地板１１の厚み方向の中間位置に設けられている。
【００１８】
下地板１１としては、セメント系ボード、木質板など各種材料よりなるものを用いることができる。
【００１９】
下地板１１の前面のうち第１及び第２の辺に沿う部分にあっては、下地板１１の辺縁とタイル１２の辺縁とが合致している。即ち、下地板１１の木端面とタイル１２の木端面とが面一状となっている。
【００２０】
下地板１１の前面のうち、第３及び第４の辺に沿う部分にあっては、タイル１２の辺縁は下地板１１の前面の辺縁から目地間隔と同距離だけ離隔している。即ちタイル１２同士の間の目地幅ｔと、この離隔距離ｔとは等しいものとなっている。
【００２１】
このように構成されたタイルパネル１０は、第１図（ｂ）の通り、雄実１１ａを雌実１１ｂに嵌合させつつ、突き付けられて床や壁に施工される。
【００２２】
この際、第１図の左側のタイルパネル１０の第１又は第２の辺の木端面と、右側のタイルパネル１０の第３又は第４の辺の木端面とが突き合わされる。この突き付け部分にあっては、左右のタイルパネル１０のタイル１２，１２間に目地間隙１５が形成される。この目地間隙１５の幅は、タイル１２の目地幅ｔと同一である。
【００２３】
この目地間隙１５に目地材を充填することにより、タイル仕上げされた床又は壁が構築される。
【００２４】
この床又は壁にあっては、タイルパネル１０同士の突き合わせ面Ｊが、第１図（ｂ）の通り、目地間隙１５の幅方向の一端に位置している。従って、タイルパネル１０同士に不陸（面出入り方向（第１図の上下方向）の食い違いないしは段差）が生じた場合でも、目地間隙に充填された目地材の幅方向中央で目地切れを生じることがない。
【００２５】
なお、この実施の形態では、雄実１１ａと雌実１１ｂとを係合させているため、上記の不陸も防止ないし抑制される。また、雄実１１ａと雌実１１ｂとを嵌合させたことにより、床に施工した場合でもきしみが防止される。
【００２６】
上記実施の形態では、タイルパネル１０同士を突き付けた後に目地間隙１５に目地材を充填するものとしているが、第３図（ａ）のようにタイルパネル１０の隣接する２辺（例えば第３及び第４の辺）に弾力性を有した目地材１６を付着させておいてもよい。この目地材１６は、タイルパネル１０の前面の第３及び第４の辺に沿う辺縁よりも側方へ張り出している。この実施の形態では、目地材１６は、タイル１２の木端面に接着剤によって接着されており、下地板１１の前面に対しては非接着となっている。なお、目地材１６は接着剤によって接着されても良いが、ホットメルト、シリコーン等の不定形素材を塗布しても良い。また下地板１１とは非接着であってもなくても良い。タイルパネル内に充填されている目地材は、通常目地材、辺縁と同じ弾性目地材のどちらでも良い。
【００２７】
この第３図（ａ）のタイルパネル１０のその他の構成は第１図と同一であり、同一符号は同一部分を示している。このタイルパネル１０も、第３図（ｂ）のように、第３図の左側のタイルパネル１０の第１又は第２の辺の木端面と、右側のタイルパネル１０の第３又は第４の辺の木端面とが突き合わされる。この突き付け部分にあっては、左右のタイルパネル１０のタイル１２，１２間で目地材１６が圧縮され、目地形成される。この目地幅は、タイル１２の目地幅ｔと同一である。このようにして、タイル仕上げされた床又は壁が構築される。この床又は壁にあっても、タイルパネル１０同士の突き合わせ面が、第３図（ｂ）の通り、目地材１６の幅方向の一端に位置している。従って、タイルパネル１０同士に不陸（面出入り方向（第１図の上下方向）の食い違いないしは段差）が生じた場合でも、目地材１６の幅方向中央で目地切れを生じることがない。
【００２８】
なお、この実施の形態でも、雄実１１ａと雌実１１ｂとを係合させているため、上記の不陸も防止ないし抑制される。
【００２９】
この実施の形態によると、予め目地材をタイルパネル１０に取り付けてあるので、タイルパネル１０同士を突き付けることにより併せて目地材の施工が行われることになり、施工効率が良い。
【００３０】
また、目地材１６が第３図（ａ）の通り下地板１１の前面の辺縁から外方に張り出しているので、タイルパネル１０同士を突き付けるときの衝撃が緩和され、下地板１１の損傷が防止される。
【００３１】
この実施の形態では、目地材１６が下地板１１に対し非接着となっており、第３図（ｂ）のようにタイルパネル１０同士を突き付けるときに、目地材１６が下地板１１に拘束されることなく押し縮められる。即ち、目地材１６は、第３図の左右方向の一軸方向にのみ全体として均等に圧縮変形される。従って目地材１６に、「よじれ」「ねじれ」などの変形が発生せず、目地の止水性が良好であると共に、目地の見栄えも良い。
【００３２】
上記の目地材１５，１６としては、１０ｋｇｆ／ｃｍ２の荷重で２５％以上たとえば２５〜５０％圧縮変形する特性を有した弾力性材料よりなることが好ましく、具体的にはゴム系発泡体（エプトシーラー（日東電工株式会社）など）、ウレタンフォーム、フォームメルト、シリコンシーラントなどを用いることができる。
【図面の簡単な説明】
【００３３】
【図１】実施の形態に係るタイルパネルの端部の断面図である。
【図２】図１のタイルパネルの全体断面図である。
【図３】別の実施の形態に係るタイルパネルの端部の断面図である。
【図４】従来のタイルパネルの断面図である。
【符号の説明】
【００３４】
１，２０  タイルパネル
２，１１  下地板
３，１３  接着剤
４，１２  タイル
１４，１６  目地材
【図１】
2009035933.tif 000003
【図２】
2009035933.tif 000004
【図３】
2009035933.tif 000005
【図４】
2009035933.tif 000006